(57)【要約】【課題】情報を実像として立体的に目視させる表示装置において、小型化が可能な表示装置を提供する。【解決手段】表示装置１は、情報を表す情報像２Ａを表示する情報表示手段２と、情報像２Ａの背景を表す背景像３Ａを表示する背景表示手段３と、情報表示手段２と背景表示手段３との間に配置され、光を透過する機能と光を反射する機能とを有する半透光性部材４とを備え、情報表示手段２と背景表示手段３のうちで情報表示手段２を、半透光性部材４に近接させて配置し、半透光性部材４が、情報像２Ａの光を目視側に透過させて情報像２Ａを目視させ、且つ、背景像３Ａの光を目視側に反射して虚像３Ｂとして背景像３Ａを目視させる。これにより、情報を実像として立体的に目視させる表示装置において、小型化が可能な表示装置を提供できる。【選択図】図２
2009014400.tif 000002
【特許請求の範囲】
【請求項１】
情報を表す情報像を表示する情報表示手段と、
前記情報像の背景を表す背景像を表示する背景表示手段と、
前記情報表示手段と前記背景表示手段との間に配置され、光を透過する機能と光を反射する機能とを有する半透光性部材とを備え、
前記情報表示手段と前記背景表示手段のうちで該情報表示手段を、前記半透光性部材に近接させて配置し、
前記半透光性部材は、前記情報像の光を目視側に透過させて該情報像を目視させ、且つ、前記背景像の光を該目視側に反射して虚像として該背景像を目視させることを特徴とする表示装置。
【請求項２】
情報を表す情報像を表示する情報表示手段と、
前記情報像の背景を表す背景像を表示する背景表示手段と、
前記情報表示手段と前記背景表示手段との間に配置され、光を透過する機能と光を反射する機能とを有する半透光性部材とを備え、
前記情報表示手段と前記背景表示手段のうちで該背景表示手段を、前記半透光性部材に近接させて配置し、
前記半透光性部材は、前記情報像の光を目視側に透過させて該情報像を目視させ、且つ、前記背景像の光を該目視側に反射して虚像として該背景像を目視させることを特徴とする表示装置。
【請求項３】
光源を備え、
前記背景表示手段は、前記光源の発する光を前記背景像として該背景表示手段を透過させるように構成されていることを特徴とする請求項１または請求項２に記載の表示装置。
【請求項４】
光を透過する機能を有する板状部材を備え、
前記背景像の形状を有する開口部が形成された遮光性の遮光層を前記板状部材上に形成し、該開口部を前記背景表示手段として構成していることを特徴とする請求項３に記載の表示装置。
【請求項５】
光源を備え、
前記背景表示手段は、前記光源の発する光を前記背景像として反射するように構成されていることを特徴とする請求項１または請求項２に記載の表示装置。
【請求項６】
前記背景像の色調を切り替える制御手段を備えることを特徴とする請求項１ないし請求項５のいずれか一項に記載の表示装置。
【請求項７】
前記制御手段は、前記情報像の内容に連動させて前記色調を切り替えることを特徴とする請求項６に記載の表示装置。
【発明の詳細な説明】
【技術分野】
【０００１】
本発明は、情報を実像として立体的に目視させる表示装置に関するものであり、車両用に用いて好適である。
【背景技術】
【０００２】
実像と虚像とを重ねて表示することによって、情報を実像として立体的に目視させる表示装置が開示されている（特許文献１を参照）。
【０００３】
この表示装置は、情報を表す指針計器と、指針計器の背景として星空をイメージさせる背景像を表示する背景表示手段と、指針計器と背景表示手段の間に配置されたハーフミラーとを備える。指針計器を実像として目視させ、これに重ねて星空をイメージさせる背景像を虚像として目視させる。実像と虚像の位置を目視側から見て前後方向にずらすことによって、背景像の虚像を基準として指針計器を実像として立体的に目視させることができる。
【特許文献１】特開平９−２８８４５７号公報
【発明の開示】
【発明が解決しようとする課題】
【０００４】
しかし、特許文献１の表示装置では、指針計器と背景表示手段をハーフミラーの両側に分けて配置しているため、表示装置が大型化するという問題が生じている。
【０００５】
本発明は、このような事情を考慮してなされたものであり、情報を実像として立体的に目視させる表示装置において、小型化が可能な表示装置を提供することを目的とする。
【課題を解決するための手段】
【０００６】
本発明は上記目的を達成するため、以下の技術的手段を採用する。
【０００７】
請求項１に記載の表示装置は、情報を表す情報像を表示する情報表示手段と、情報像の背景を表す背景像を表示する背景表示手段と、情報表示手段と背景表示手段との間に配置され、光を透過する機能と光を反射する機能とを有する半透光性部材とを備え、情報表示手段と背景表示手段のうちで情報表示手段を、半透光性部材に近接させて配置し、半透光性部材が、情報像の光を目視側に透過させて情報像を目視させ、且つ、背景像の光を目視側に反射して虚像として背景像を目視させることを特徴とする。
【０００８】
この構成では、半透光性部材を情報表示手段と背景表示手段との間に配置し、情報表示手段と背景表示手段のうちで情報表示手段を、半透光性部材に近接させて配置している。このため、情報表示手段を半透光性部材に近接させて配置していることにより生じているスペース分で、表示装置を小型化できる。
【０００９】
また、この構成では、半透光性部材は、情報像の光を目視側に透過させて情報像を目視させ、且つ、背景像の光を目視側に反射して虚像として背景像を目視させる。また、情報表示手段と背景表示手段のうちで情報表示手段を、半透光性部材に近接させて配置しているため、目視側から見て背景像の虚像より前方側で情報像が目視される。したがって、背景像の虚像を基準として情報像を立体的に目視させることができる。
【００１０】
これらの結果、情報を実像として立体的に目視させる表示装置において、小型化が可能な表示装置を提供できる。
【００１１】
請求項２に記載の表示装置は、情報を表す情報像を表示する情報表示手段と、情報像の背景を表す背景像を表示する背景表示手段と、情報表示手段と背景表示手段との間に配置され、光を透過する機能と光を反射する機能とを有する半透光性部材とを備え、情報表示手段と背景表示手段のうちで背景表示手段を、半透光性部材に近接させて配置し、半透光性部材が、情報像の光を目視側に透過させて情報像を目視させ、且つ、背景像の光を目視側に反射して虚像として背景像を目視させることを特徴とする。
【００１２】
この構成では、透光性部材を情報表示手段と背景表示手段との間に配置し、情報表示手段と背景表示手段のうちで背景表示手段を、半透光性部材に近接させて配置している。このため、背景表示手段を半透光性部材に近接させて配置していることにより生じているスペース分で、表示装置を小型化できる。
【００１３】
また、この構成では、半透光性部材は、情報像の光を目視側に透過させて情報像を目視させ、且つ、背景像の光を目視側に反射して虚像として背景像を目視させる。また、情報表示手段と背景表示手段のうちで背景表示手段を、半透光性部材に近接させて配置しているため、目視側から見て背景像の虚像より後方側で情報像の実像が目視される。したがって、背景像の虚像を基準として情報像の実像を立体的に目視させることができる。
【００１４】
これらの結果、情報を実像として立体的に目視させる表示装置において、小型化が可能な表示装置を提供できる。
【００１５】
請求項３に記載の表示装置は、光源を備え、背景表示手段が、光源の発する光を背景像として背景表示手段を透過させるように構成されていることを特徴とする。これにより、背景表示手段を簡易に構成できる。
【００１６】
請求項４に記載の表示装置は、光を透過する機能を有する板状部材を備え、背景像の形状を有する開口部が形成された遮光性の遮光層を板状部材上に形成し、開口部を背景表示手段として構成していることを特徴とする。これにより、背景表示手段を簡易に構成できる。
【００１７】
請求項５に記載の表示装置は、光源を備え、背景表示手段が、光源の発する光を背景像として反射するように構成されていることを特徴とする。これにより、背景表示手段を簡易に構成できる。
【００１８】
請求項６に記載の表示装置は、背景像の色調を切り替える制御手段を備えることを特徴とする。背景像の色調（明度、色相、彩度の少なくともいずれか）を切り替えることにより、表示装置の意匠性を高めることができる。
【００１９】
請求項７に記載の表示装置は、制御手段が、情報像の内容に連動させて色調を切り替えることを特徴とする。これにより、情報像の内容を強調して表示できるため、情報像の内容をより認識し易くできる。
【発明を実施するための最良の形態】
【００２０】
以下、本発明による表示装置を、自動車に搭載される速度計に適用した場合を例に図面に基づいて説明する。
【００２１】
（構成）
本発明の一実施形態による表示装置である速度計１は、運転席前方に配置され、図１に示すようにメータフード１１によって周囲が覆われ、情報である自車両の車速を表示する。速度計１は、後述する青色の背景像３Ａの虚像３Ｂを背景として、後述する車速を表す白色の情報像２Ａを目視させる。虚像３Ｂは、地平線側が遠方側で目視される車道をイメージさせるものであり、情報像２Ａへ向かって青色の明度が徐々に低く（いわゆるグラデーション状に）目視される。尚、虚像３Ｂにおいては、青色の明度が低い状態を狭い線間隔で表現し、青色の明度が高い状態を広い線間隔で表現している。また、速度計１は、情報像２Ａの一部が虚像３Ｂと重なって目視されるように構成される。
【００２２】
速度計１は、図２に示すように、情報表示手段である液晶パネル２と、背景表示手段として構成されている開口部３と、半透光性部材であるポリカシート４とを備える。
【００２３】
液晶パネル２は、電圧無印加時には遮光性となり電圧印加時には透光性となり、情報像２Ａをセグメント表示（デジタル表示）する。例えば、図１において符号２Ａで示す「４７ｋｍ／ｈ」を情報像２Ａとして表示する場合、液晶パネル２において「４７ｋｍ／ｈ」に対応するセグメントに電圧を印加してこのセグメントを透光性にする。この状態で、発光ダイオード２１の発する白色光が、透明なアクリル樹脂等から形成された導光体２２に導かれて、液晶パネル２を透過照明する。これにより、液晶パネル２は、黒色を背景として「４７ｋｍ／ｈ」を表す白色の情報像２Ａを表示する。
【００２４】
尚、液晶パネル２は、図示しないリードワイヤを介してプリント基板６と電気的に接続され、発光ダイオード２１は、プリント基板６に実装される。また、ポリカシート４は、液晶パネル２と開口部３との間に配置され、液晶パネル２と開口部３のうちで液晶パネル２を、ポリカシート４に近接させて配置する。
【００２５】
背景像３Ａの形状を有する開口部３は、遮光性で例えば黒色の遮光層３１の開口部である。光を透過する機能を有する板状部材である透明でアクリル樹脂から形成されたアクリルシート３０上に、開口部３を有する遮光層３１を印刷等で形成し、開口部３を背景表示手段として構成する。
【００２６】
尚、速度計１は、光源である発光ダイオード３２，３３と、発光ダイオード３２の発する青色光または発光ダイオード３３の発する赤色光を開口部３に導く導光体３４とを備える。また、図２は、発光ダイオード３２が点燈し、発光ダイオード３３が消燈している状態を示し、以下、この状態において速度計１の構成を説明する。
【００２７】
導光体３４は、透明なアクリル樹脂等から形成され、導光体３４によって導かれた発光ダイオード３２の発する青色光が、青色の背景像３Ａとして開口部３を透過する。即ち、開口部３は、発光ダイオード３２の発する青色光が背景像３Ａの形状で開口部３を透過するように形成される。具体的に、図１において虚像３Ｂが実像２Ａへ向かって青色の明度が徐々に低く（いわゆるグラデーション状に）目視されるように、図２において開口部３の透過率が左側から右側へ向かって徐々に低くなるように、開口部３を遮光層３１に形成する。
【００２８】
つまり、透明なアクリルシート３０上に開口部３を有する遮光層３１を形成し、発光ダイオード３２、３３の発する光を導光体３４によって開口部３に導く構成によって、背景表示手段を簡易な開口部３として構成できる。
【００２９】
透明でポリカーボネート樹脂から形成されたポリカシート４は、透光性を有する板厚１ｍｍの透光性シートであるが、表面で光を反射する表面反射機能、即ち、光を反射する機能を有するため、光を透過する機能と光を反射する機能とを有する。ポリカシート４は、矢印Ｐ１の光路に従って、情報像２Ａの光を目視側に透過させて情報像２Ａを目視させ、且つ、矢印Ｐ２の光路に従って、背景像３Ａの光を目視側に反射して虚像３Ｂとして背景像３Ａを目視させるように配置される。
【００３０】
尚、ハーフミラーの反射率と比較してポリカシート４の反射率が小さいため、虚像３Ｂの明度が情報像２Ａの明度と比較して低下する場合がある。この場合は、発光ダイオード３２，３３の発光輝度を高めに設定することによって、虚像３Ｂの明度の低下を補うことができる。
【００３１】
以上のように、ポリカシート４を液晶パネル２と開口部３との間に配置し、液晶パネル２と開口部３のうちで液晶パネル２を、ポリカシート４に近接させて配置している。液晶パネル２をポリカシート４に近接させたことにより生じているスペースは、虚像３Ｂが目視されるスペースとなり、速度計１に不要なスペースとなる。換言すると、このスペースが、虚像３Ｂが目視されるスペースとなるため、このスペースに、虚像３Ｂと重ねて他の製品を配置することができる。このように、液晶パネル２をポリカシート４に近接させたことにより生じているスペース分で速度計１を小型化できる。
【００３２】
ポリカシート４は、情報像２Ａの光を目視側に透過させて情報像２Ａを目視させ、且つ、背景像３Ａの光を目視側に反射して虚像３Ｂとして背景像３Ａを目視させる。また、液晶パネル２と開口部３のうちで液晶パネル２を、ポリカシート４に近接させて配置している。これらのため、目視側から見て背景像３Ａの虚像３Ｂより前方側で情報像２Ａが目視される。さらに、液晶パネル２をポリカシート４に近接させたことにより、虚像３Ｂと情報像２Ａの距離を増加できるため、背景像３Ａの虚像３Ｂを基準として情報像２Ａをより立体的に浮遊的に目視させることができる。
【００３３】
これらの結果、車速を実像２Ａとして立体的に目視させる速度計１を、小型化できる。尚、白色の情報像２Ａと青色の虚像３Ｂは、透明カバー１０を通して目視されるように構成される。液晶パネル２と、アクリルシート３０と、導光体２２、３４と、ポリカシート４と、透明カバー１０は、ケース５に固定される。
【００３４】
以上説明した本実施形態による速度計１の電気回路構成について、図３に基づいて説明する。
【００３５】
速度計１は、マイクロコンピュータ等から構成される制御手段である制御装置７を備え、制御装置７には、自車両の車速を検出する速度センサ１２が検出信号を入力可能に接続され、液晶パネル２と発光ダイオード２１，３２、３３とが接続される。制御装置７は、発光ダイオード２１を点燈し、速度センサ１２からの出力信号に基づいて液晶パネル２に情報像２Ａを表示させるように構成される。具体的に、制御装置７は、速度センサ１２からの出力信号に基づいて、自車両の車速を算出し、液晶表示パネル２の作動を制御する。これにより、この車速を表す情報像２Ａを液晶表示パネル２に表示させる。
【００３６】
また、制御装置７は、情報像２Ａの内容に連動させて背景像３Ａの色調（明度、色相、彩度の少なくともいずれか）を切り替えるように構成される。具体的に、制御装置７は、車速が例えば８０ｋｍ／ｈ未満で青色光を発する発光ダイオード３２を点燈し、車速が８０ｋｍ／ｈ以上で発光ダイオード３２を消燈して赤色光を発する発光ダイオード３３を点燈する。
【００３７】
（作動）
以下、上記構成において本実施形態による表示装置である速度計１の作動を説明する。
【００３８】
図３において、運転者によって図示しないイグニッションスイッチがオンされると、制御装置７は、それを検出して作動を開始する。即ち、速度センサ１２からの信号に基づいて、自車両の車速を算出し、この車速を表す情報像２Ａを液晶パネル２に表示させ、白色光を発する発光ダイオード２１を点燈する。図２において、情報像２Ａの白色光は、矢印Ｐ１の光路に従って、ポリカシート４を透過して情報像２Ａとして目視される。
【００３９】
車速が８０ｋｍ／ｈ未満の場合、即ち、情報像２Ａが８０ｋｍ／ｈ未満の場合、赤色光を発する発光ダイオード３３を点燈しないで、青色光を発する発光ダイオード３２を点燈する。発光ダイオード３２の発する青色光は、矢印Ｐ２の光路に従って、導光体３４によって開口部３へ導かれ、青色光の背景像３Ａとして透過する。背景像３Ａの青色光は、ポリカシート４によって目視側に反射して青色の虚像３Ｂとして目視される。
【００４０】
以上により、目視側から見て青色の虚像３Ｂより前方側で白色の情報像２Ａが目視される。さらに、液晶パネル２をポリカシート４に近接させていることにより、虚像３Ｂと情報像２Ａの距離を増加できるため、背景像３Ａの虚像３Ｂを基準として情報像２Ａをより立体的に浮遊的に目視させることができる。
【００４１】
一方、高速道路などで車速が８０ｋｍ／ｈ以上になった場合、即ち、情報像２Ａが８０ｋｍ／ｈ以上になった場合、青色光を発する発光ダイオード３２を消燈して、赤色光を発する発光ダイオード３３を点燈する。発光ダイオード３３の発する赤色光も、矢印Ｐ２の光路に従って、導光体３４によって開口部３へ導かれ、赤色光の背景像３Ａとして透過する。背景像３Ａの赤色光は、ポリカシート４によって目視側に反射して赤色の虚像３Ｂとして目視される。
【００４２】
この結果、目視側から見て青色から赤色に切り替わった虚像３Ｂより前方側で白色の情報像２Ａが目視される。したがって、青色から赤色に切り替わった虚像３Ｂを基準として白色の情報像２Ａを立体的に目視させることができる。
【００４３】
さらに、虚像３Ｂを青色から赤色に切り替えることにより、情報像２Ａの内容を強調して表示できるため、即ち、車速が８０ｋｍ／ｈ未満から８０ｋｍ／ｈ以上になったことを、つまり、情報像２Ａが８０ｋｍ／ｈ未満から８０ｋｍ／ｈ以上になったことを強調して表示できるため、この内容をより認識し易くできる。
【００４４】
また、虚像３Ｂを青色から赤色に切り替えることにより、速度計１の意匠性を高めることもできる。
【００４５】
これらの効果を、上述したように、ポリカシート４を液晶パネル２と開口部３との間に配置し、液晶パネル２と開口部３のうちで液晶パネル２を、ポリカシート４に近接させて配置する構成によって得ている。このため、液晶パネル２をポリカシート４に近接させたことにより生じているスペース分で速度計１を小型化でき、したがって、これらの効果を得ることができる速度計１を、小型化できる。
【００４６】
また、発光ダイオード３２，３３の発光輝度を高めに設定することによって、ハーフミラーと比較して安価なポリカシート４を用いることを可能としている。
【００４７】
また、透明なアクリルシート３０上に開口部３を有する遮光層３１を形成し、発光ダイオード３２、３３の発する光を導光体３４によって開口部３に導く構成によって、上述の効果を、簡易な構成で得ることができる。
【００４８】
以上、本実施形態による表示装置である速度計１は、情報を表す情報像２Ａを表示する情報表示手段である液晶パネル２と、情報像２Ａの背景を表す背景像３Ａを表示する背景表示手段である開口部３と、液晶パネル２と開口部３との間に配置され、光を透過する機能と光を反射する機能とを有する半透光性部材であるポリカシート４とを備え、液晶パネル２と開口部３のうちで液晶パネル２を、ポリカシート４に近接させて配置し、ポリカシート４が、情報像２Ａの光を目視側に透過させて情報像２Ａを目視させ、且つ、背景像３Ａの光を目視側に反射して虚像３Ｂとして背景像３Ａを目視させる。
【００４９】
これにより、情報を実像として立体的に目視させる表示装置において、小型化が可能な表示装置を提供できる。
【００５０】
（変形例）
上述の例では、半透光性部材としてポリカシート４を用いたが、アクリル樹脂で形成されたアクリルシートやハーフミラーをポリカシート４の代わりに用いることができる。
【００５１】
上述の例では、背景表示手段として遮光層３１に形成された開口部３を用い、遮光層３１をアクリルシート３０に形成したが、アクリルシート３０の代わりに透明なポリカーボネート樹脂から形成されたポリカシート等の透光性シートとすることも可能である。
【００５２】
また、背景表示手段として液晶パネルを用いることも可能である。
【００５３】
上述の例では、発光ダイオード３２，３３の発する光を背景像３Ａとして開口部３を透過させるように構成したが、図４に示すように、発光ダイオード３２，３３の発する光を背景像３１Ａとして反射するように構成することも可能である。具体的に、開口部３の代わりに、太線で示すシボ面３５を、アクリルシート３０上に、微細な凹凸として形成する。また、導光体３４の代わりに、透明なアクリル樹脂等から形成された導光体３６を設け、導光体３６によって導かれた発光ダイオード３２、３３の発する光をシボ面３５に導くようにする。
【００５４】
これにより、導光体３６によって導かれた発光ダイオード３２または発光ダイオード３３の発した光は、矢印Ｐ３の光路に従って、シボ面３５が背景像３１Ａとして反射する。背景像３１Ａの光は、ポリカシート４によって目視側に反射し、虚像３１Ｂとして目視される。また、情報像２Ａの光は、ポリカシート４を透過して、情報像２Ａとして目視され、目視側から見て虚像３１Ｂより前方側で情報像２Ａが目視される。
【００５５】
これにより、背景表示手段をシボ面３５として簡易に構成でき、上述の例と同様な効果を得ることができる。
【００５６】
尚、アクリルシート３０の代わりに、黒色等の不透光性シートにシボ面３５を形成することも可能である。
【００５７】
また、シボ面３５の代わりに、発光ダイオード３２、３３の発する光を背景像３１Ａとして反射する反射層をアクリルシート３０に形成することも可能である。
【００５８】
上述の例では、液晶パネル２と開口部３のうちで液晶パネル２を、ポリカシート４に近接させたが、図５に示すように、液晶パネル２と開口部３のうちで開口部３をポリカシート４に近接させて配置するように構成することも可能である。これにより、開口部３をポリカシート４に近接させたことにより生じているスペース分で速度計１を小型化できる。
【００５９】
また、情報像２Ａの光は、矢印Ｐ４の光路に従って、ポリカシート４を透過して情報像２Ａとして目視される。また、発光ダイオード３２または発光ダイオード３３の発した光は、矢印Ｐ５の光路に従って、導光体３７によって開口部３へ導かれ、背景像３Ａとして透過する。背景像３Ａの光は、ポリカシート４によって目視側に反射して虚像３Ｂとして目視される。
【００６０】
以上により、目視側から見て虚像３Ｂより後方側で情報像２Ａが目視される。さらに、開口部３をポリカシート４に近接させたことにより、虚像３Ｂと情報像２Ａの距離を増加できるため、背景像３Ａの虚像３Ｂを基準として情報像２Ａをより立体的に目視させることができる。これらの結果、情報像２Ａとして立体的に目視させる速度計１を、小型化できる。
【００６１】
図１に示した虚像３Ｂの変形例を、虚像３２Ｂとして図６に示す。虚像３２Ｂは、情報像２Ａの全周を覆うように楕円で帯状の形状を有し、中央側から外側へ向かって青色の明度が徐々に低く（いわゆるグラデーション状に）目視される。尚、虚像３Ｂにおいては、青色の明度が低い状態を狭い線間隔で表現し、青色の明度が高い状態を広い線間隔で表現している。
【００６２】
また、上述の例と同様に、虚像２Ｂが８０ｋｍ／ｈ未満から８０ｋｍ／ｈ以上になった際に、虚像３１Ｂを青色から赤色に切り替える構成にすることが可能である。これにより上述の例と同様な効果を得ることができる。
【００６３】
また、上述の例では、虚像３Ｂ、３１Ｂ、３２Ｂを、青色と赤色の間で切り替える構成としたが、例えば、青色と赤色と緑色の三色間で切り替える構成とすることも可能であり、色相を切り替えないで、例えば、青色一色とすることも可能である。
【００６４】
また、上述の例では、虚像３Ｂ、３１Ｂ、３２Ｂを、色相を切り替える構成としたが、例えば、同じ青色で明度を切り替える構成とすることも可能である。
【００６５】
また、上述の例では、情報像２Ａの内容に連動させて、背景像３Ａ、３１Ａ（虚像３Ｂ，３１Ｂ、３２Ｂ）の色調（色相、明度、彩度の少なくともいずれか）を切り替える構成としたが、これに限らない。自車両に備わる機器の作動状態を報知するインジケータ（図示しない）の表示または自車両の異常を警告するウォーニング（図示しない）の表示に連動させて、背景像３Ａ、３１Ａ（虚像３Ｂ，３１Ｂ、３２Ｂ）の色調を切り替える構成とすることも可能である。これにより、インジケータまたはウォーニングの表示を確実に認識させることができるため、いわゆるアンビエント効果を発揮させることができる。
【００６６】
また、情報像２Ａを車速等のデジタル表示としないで、インジケータやウォーニングを表すマークやその他の情報像とすることも可能である。
【００６７】
尚、上述した例に限らないで、これらの組み合わせや、他の種々の変形例が考えられる。
【図面の簡単な説明】
【００６８】
【図１】図１は、本発明の一実施形態による表示装置である速度計１の正面図である。
【図２】図２は、図１中のＩＩ−ＩＩ線断面図である。
【図３】図３は、図１に示す速度計１の回路構成図である。
【図４】図４は、図２の第１変形例を示す断面図である。
【図５】図５は、図２の第２変形例を示す断面図である。
【図６】図６は、図１の変形例を示す正面図である。
【符号の説明】
【００６９】
１  速度計（表示装置）、２  液晶パネル（情報表示手段）、２１  発光ダイオード
２２  導光体、２Ａ  情報像、３  開口部（背景表示手段）
３０  アクリルシート（板状部材）、３１  遮光層、３２、３３  発光ダイオード（光源）
３４、３６、３７  導光体、３５  シボ面（背景表示手段）、３Ａ、３１Ａ  背景像
３Ｂ、３１Ｂ、３２Ｂ  虚像、４  ポリカシート（半透光性部材）、５  ケース
６  プリント基板、７  制御装置（制御手段）、１０  透明カバー、１１  メータフード
１２  速度センサ
【図１】
2009014400.tif 000003
【図２】
2009014400.tif 000004
【図３】
2009014400.tif 000005
【図４】
2009014400.tif 000006
【図５】
2009014400.tif 000007
【図６】
2009014400.tif 000008